(57)【特許請求の範囲】
【請求項１】
ジョブに関する情報を表示し，当該ジョブに対する操作を受け付ける表示装置と，
受信したジョブデータから，操作者によって設定された文字サイズ，表示色，表示倍率のうち少なくとも１つの表示属性を認識する表示属性認識手段と，
前記表示属性認識手段が認識した表示属性を基に，前記表示装置に表示されるジョブに関する情報の表示形式をジョブごとに変化させる表示切替手段とを有することを特徴とする画像形成装置。
【請求項２】
請求項１に記載する画像形成装置において，
前記表示切替手段は，認識した表示属性に応じた機能をサポートしていない場合には，ジョブに付加された当該表示属性に対応するプログラムを実行することを特徴とする画像形成装置。
【請求項３】
請求項１に記載する画像形成装置において，
前記表示装置が表示するジョブに関する情報は，受信したジョブの一覧の表示であることを特徴とする画像形成装置。
【請求項４】
請求項１に記載する画像形成装置において，
前記表示属性は，当該画像形成装置に接続された外部機器から取得することを特徴とする画像形成装置。
【請求項５】
請求項４に記載する画像形成装置において，
前記表示属性は，ジョブデータに付加されたものであることを特徴とする画像形成装置。
【請求項６】
請求項４または請求項５に記載する画像形成装置において，
前記画像形成装置は，ネットワーク上に複数接続され，前記外部機器からジョブデータを受信し，
受信した各画像形成装置は，それぞれ文字サイズ，表示色，表示倍率の少なくとも１つの表示属性を認識し，認識した表示属性を基に，ジョブに関する情報の表示形式をジョブごとに変化させることを特徴とする画像形成装置。
【請求項７】
請求項１に記載する画像形成装置において，
前記ジョブに関する情報は，ジョブのモードを含むことを特徴とする画像形成装置。
【発明の詳細な説明】
【０００１】
【発明の属する技術分野】
本発明は，ジョブ情報を表示する表示画面を有する画像形成装置に関する。
【０００２】
【従来の技術】
従来，デジタル複写機等の表示画面では，パソコン等の情報機器端末から送信されたジョブ情報を表示している。これにより，ユーザは自己のジョブの登録有無や当該ジョブの実行状況を認識することができる。また，他のジョブの蓄積状況も確認することができる。
【０００３】
【発明が解決しようとする課題】
しかしながら，前記した従来の技術には次のような問題点があった。すなわち，このジョブの表示は，すべてのジョブで一律の表示であり，ジョブごとに表示倍率や表示形態を変化させることはない。このため，高齢者や障害者（以下，「障害者等」とする。）にとっては，障害の度合いにより表示内容が見づらい場合がある。
【０００４】
この問題を解決するための技術としては，表示を変化させる必要がある端末およびその表示属性をジョブ情報表示装置にあらかじめ登録し，当該端末から送られるジョブを表示する場合に登録されている表示属性に沿った表示を行うものがある。これは，ジョブ情報表示装置に当該端末が登録されているときは有効である。しかし，ジョブ情報表示装置に当該端末が登録されていないときには効果がない。すなわち，複数のジョブ情報表示装置を有するシステム全体で統一した表示を行うには，すべてのジョブ情報表示装置において同等の登録が必要である。また，登録する端末が多くなるにつれて，ジョブ情報表示装置のメモリや制御に負荷がかかる。このため，システムが大きくなるほど，効果を得ることは困難である。
【０００５】
本発明は，前記した従来の技術が有する問題点を解決するためになされたものである。すなわちその課題とするところは，ジョブの表示属性に応じて表示画面を変更することのできる画像形成装置を提供することにある。
【０００６】
【課題を解決するための手段】
この課題の解決を目的としてなされた本発明の画像形成装置は，ジョブに関する情報を表示し，当該ジョブに対する操作を受け付ける表示装置と，受信したジョブデータから，操作者によって設定された文字サイズ，表示色，表示倍率のうち少なくとも１つの表示属性を認識する表示属性認識手段と，表示属性認識手段が認識した表示属性を基に，表示装置に表示されるジョブに関する情報の表示形式をジョブごとに変化させる表示切替手段とを有することを特徴としている。
【０００７】
本発明の画像形成装置では，ジョブの情報を表示するための表示画面を有している。そして，表示属性認識手段によりジョブごとの表示属性を認識している。そして，表示切替手段により認識した表示属性に応じた表示画面に変化させている。すなわち，ジョブごとに表示内容を変更している。この表示属性には，例えば，表示倍率の変更や表示色の変更等がある。
【０００８】
また，本発明の画像形成装置の表示切替手段は，認識した表示属性に応じた機能をサポートしていない場合には，ジョブに付加された当該表示属性に対応するプログラムを実行するものとするとよりよい。これにより，表示属性に対応した機能をサポートしていなくても，表示属性に沿った表示画面の表示形式に変更することができる。
【０００９】
また，本発明の画像形成装置の表示装置が表示するジョブに関する情報は，受信したジョブの一覧の表示であることとするとよりよい。
【００１０】
また，本発明の画像形成装置の表示属性は，当該画像形成装置に接続された外部機器から取得することとするとよりよい。さらに，その表示属性は，ジョブデータに付加されたものであることとするとよりよい。
【００１１】
また，本発明の画像形成装置は，ネットワーク上に複数接続され，外部機器からジョブデータを受信し，受信した各画像形成装置は，それぞれ文字サイズ，表示色，表示倍率の少なくとも１つの表示属性を認識し，認識した表示属性を基に，ジョブに関する情報の表示形式をジョブごとに変化させることとするとよりよい。
【００１２】
また，本発明の画像形成装置のジョブに関する情報は，ジョブのモードを含むこととするとよりよい。
【００１３】
【発明の実施の形態】
以下，本発明を具体化した実施の形態について，添付図面を参照しつつ詳細に説明する。本実施の形態は，表示機能付きのデジタルコピー機および当該コピー機がネットワークに接続されているシステムに，本発明を適用したものである。
【００１４】
本形態に係るジョブ送受信システムは，図１に示すように構成されている。すなわち，本システムはデジタル複写機１，デジタル複写機２，デジタル複写機３，パソコン４，サーバ５を有している。そして，各デジタルコピー機，パソコン４，サーバ５は，ネットワーク１０により接続されている。各デジタル複写機は操作パネルを有し，ジョブの稼働状況等を表示することができる。なお，デジタルコピー機の台数は１以上であれば幾つでもよい。この他，本システムでは，ネットワーク１０によりプリンタ７やスキャナ等が接続されている。
【００１５】
次に，デジタル複写機１について説明する。デジタル複写機１は，図２に示すように，全体の制御を行うＣＰＵ１１と，デジタル複写機１のシステムプログラム等を格納するＲＯＭ１２と，制御用のデータを一時的に記憶するＲＡＭ１３と，マシン設定等の各種のバックアップに必要なデータを格納するバックアップＲＡＭ１４と，画像データファイルの格納を行う外部記憶装置１５と，読み取った画像データの圧縮・伸張制御を行うメモリ制御部１６と，画像の読み取り制御を行うスキャナ１７と，画像のプリントを行うプリンタ１８と，ネットワークへのデータの送受信を行うネットワーク制御部１９と，表示画面である操作パネル２０と，画像データをパソコンで読み取れるファイル形式に変換するファイル変換部２１とを有している。このデジタル複写機１では，スキャナ部１７により読み取った画像をプリント出力する機能と，パソコン等からネットワークを介して送られた画像をプリント出力する機能とを有している。なお，デジタル複写機２，３も同様の機能を有している。また，プリンタ７は，デジタル複写機１の機能からスキャナ１７を除いたものとほぼ同様である。
【００１６】
また，デジタル複写機１の操作パネル２０は，ジョブ情報に関する画面の一つとして図３に示すような画面（基本画面）を表示することができる。この画面では，プリントジョブ（以下，「ジョブ」とする。）の状態等を表示している。この画面ではさらに，選択されたジョブを消去することができる。また，操作パネル２０は，図３中の「ジョブ操作」ボタンを押すことにより，図４に示すようにジョブの詳細情報の一覧を示す画面に表示を変更することができる。この画面では，各ジョブのコピー部数，登録時間等の詳細情報が表示される。さらには，ジョブの実行に必要なモードを変更することができる。
【００１７】
次に，デジタル複写機１の操作画面の制御について説明する。以下，パソコン４からのジョブデータを受け取り，当該ジョブを操作パネル２０に表示する場合の制御について説明する。
【００１８】
まず，パソコン４から送信されるジョブデータについて説明する。このジョブデータは，図５に示すようなデータにより構成される。すなわち，ＪＯＢＩＤと，画像データと，モードと，表示属性および付随するプログラムとで構成される。ジョブデータ中，ＪＯＢＩＤ，画像データ，モードはプリントを行うために必要なデータであり，表示属性，プログラムは画面表示に必要なデータである。ここで，ＪＯＢＩＤとは，データ送信時にジョブを識別するためにデータごとに付与される番号である。また，モードとは，給紙口や解像度等のプリントに関連する属性情報のことである。これらのプリントを行うために必要なデータデータは，必ずジョブデータに含まれる。一方，表示属性とは，表示の拡大や表示色の変更等の画面表示に関連する属性のことである。この表示属性は，必要に応じてジョブデータに付加される。さらに，付加される表示属性は１つに限らない。すなわち，複数の種類の表示属性を有することもある。また，プログラムは，画面表示を行う機器（本形態ではデジタル複写機）が表示属性に沿った動作を行う機能をサポートしていない場合に，同様の動作をできるようにするためのものである。本形態では，表示属性１が表示の倍率変更，表示属性２が表示色の変更，表示属性３が文字サイズの変更とする。また，各表示属性には，その動作を行うプログラムが添付される。
【００１９】
次に，パソコン４からプリントに関するジョブを送る場合におけるパソコン４内部のプリンタドライバの処理を，図６のフローチャートに基づいて説明する。なお，操作者は，プリントする画像の選択および操作パネル２０への表示属性の設定を行った上で，デジタル複写機１に対してプリント指示を送る操作をパソコン４で行う。そして，プリンタドライバでは，当該プリント指示に基づいたジョブデータを作成し，当該ジョブデータをデジタル複写機１に送信する。そのため，プリンタドライバの処理としては，まず，プリント指示があるか否かを判断する（Ｓ３１）。プリント指示が無い場合（Ｓ３１：ＮＯ）は，プリント指示があるまで待機の状態となる。プリント指示があった場合（Ｓ３１：ＹＥＳ）は，ジョブデータを作成する（Ｓ３２）。ジョブデータの作成手順としては，まず，操作者により選択されている画像およびモードをそれぞれジョブデータの画像データおよびモードとする。次に，操作者により設定された表示属性をジョブデータの表示属性とする。ここで，表示属性に応じたプログラムもあわせて付加する。次に，デジタル複写機１に対してジョブデータが送信される（Ｓ３３）。Ｓ３３処理の終了後は，再びＳ３１に戻りプリント指示を待つ状態となる。
【００２０】
次に，操作パネル２０の制御を行うＣＰＵ１１の動作を，図７のフローチャートに基づいて説明する。まず，デジタル複写機１の起動により，ＲＯＭ１２に格納されているシステムプログラムを実行し，ＲＡＭ１３の初期化，各種レジスタの設定等のイニシャライズを行う。さらに，操作パネル２０の表示属性の初期化も行う（Ｓ４１）。次に，タイミング制御を行うための内部タイマーを開始させる（Ｓ４２）。次に，ハードキーおよびタッチパネルの入力制御を行う（Ｓ４３）。次に，操作パネル２０の表示画面の表示処理を行う（Ｓ４４）。次に，デジタル複写機１のシステムに必要な制御を行う（Ｓ４５）。次に，内部タイマーが終了しているか否かを判断する（Ｓ４６）。そして，内部タイマーが終了していない場合（Ｓ４６：ＮＯ）は，内部タイマーの終了を待つ。一方，内部タイマーが終了している場合（Ｓ４６：ＹＥＳ）は，Ｓ４２へ戻り再び内部タイマーを開始させる。
【００２１】
次に，Ｓ４４の表示処理を，図８のフローチャートに基づいて詳細に説明する。まず，操作パネル２０に表示するジョブを決定する（Ｓ５１）。次に，当該ジョブについて操作パネル２０の通常表示で表示を行う（Ｓ５２）。すなわち，操作パネル２０にもともと設定されている表示属性に応じた表示を行う。次に，各ジョブの表示属性に応じた表示の変更を行う。本形態では，まず，決定したジョブのジョブデータに表示属性１が付加されているか否かを判断する（Ｓ５３）。ここで，付加されている場合（Ｓ５３：ＹＥＳ）は，操作パネル２０の画面を表示属性１に対応した表示変更処理（本形態では表示倍率変更処理）を行う（Ｓ５４）。この表示変更処理では，ジョブ情報を一覧表示している場合は，当該ジョブの情報に関する部分の表示のみを変更する。また，当該ジョブの情報のみを表示している場合は，画面全体の表示を変更する。付加されていない場合（Ｓ５３：ＮＯ）あるいはＳ５４処理を終了した場合は，表示属性２が付加されているか否かを判断する（Ｓ５５）。ここで，付加されている場合（Ｓ５５：ＹＥＳ）は，操作パネル２０の画面を表示属性２に対応した表示変更処理（本形態では表示色変更処理）を行う（Ｓ５６）。付加されていない場合（Ｓ５５：ＮＯ）あるいはＳ５６処理を終了した場合は，表示属性３が付加されているか否かを判断する（Ｓ５７）。ここで，付加されている場合（Ｓ５７：ＹＥＳ）は，操作パネル２０の画面を表示属性３に対応した表示変更処理（本形態では文字サイズ変更処理）を行う（Ｓ５８）。付加されていない場合（Ｓ５７：ＮＯ）あるいはＳ５８処理を終了すると，Ｓ４４の表示処理が終了する。
【００２２】
次に，Ｓ５１の表示ジョブ決定処理を，図９のフローチャートに基づいて詳細に説明する。まず，デジタル複写機１にエラーが発生しているか否かを判断する（Ｓ６１）。エラーが発生している場合（Ｓ６１：ＹＥＳ）は，操作パネル２０の画面をエラーが発生しているジョブの情報に変更する（Ｓ６２）。エラーが発生していない場合（Ｓ６１：ＮＯ）は，操作者によりジョブの一覧表示画面からプリント中のジョブ以外のジョブが選択されているか否かを判断する（Ｓ６３）。ジョブが選択されている場合（Ｓ６３：ＹＥＳ）は，選択されているジョブの情報の表示に変更する（Ｓ６４）。ジョブが選択されていない場合（Ｓ６３：ＮＯ）は，表示中のジョブのプリントが終了しているか否かを判断する（Ｓ６５）。プリントが終了していない場合（Ｓ６５：ＮＯ）は，プリントが終了するまで待機する。プリントが終了している場合（Ｓ６５：ＹＥＳ）は，終了したジョブを一覧から消去する。もしくは，次のジョブに表示に変更する（Ｓ６６）。そして，Ｓ６６またはＳ６２またはＳ６４の表示の変更処理を終了すると，Ｓ５１の表示ジョブ決定処理が終了する。
【００２３】
次に，Ｓ５４，Ｓ５６，Ｓ５８の表示変更処理を詳細に説明する。Ｓ５４の表示変更処理では，図１０のフローチャートに基づいた表示倍率の変更処理を行う。まず，デジタル複写機１の本来の制御が表示倍率の変更処理を行うための機能をサポートしているか否かを判断する（Ｓ７１）。当該機能をサポートしている場合（Ｓ７１：ＹＥＳ）は，操作パネル２０の画面の内容を拡大もしくは縮小表示する（Ｓ７２）。一方，当該機能をサポートしていない場合（Ｓ７１：ＮＯ）は，ジョブデータに付加された表示属性１に対応したプログラムを実行する（Ｓ７３）。これにより，当該機能のサポートの有無に関わらず，操作パネル２０の表示倍率が変更される。Ｓ７２あるいはＳ７３の表示変更処理を終了すると，Ｓ５４の表示倍率の変更処理が終了する。当該処理の終了後の画面は，図１１に示すように表示属性１が付加されたジョブ（図１１中，「１２」および「１３」のジョブ）が拡大表示された状態である。なお，付加されるプログラムは，ハード的に実現できない機能を実現させるもの（例：モノクロディスプレイによるカラー表示）ではなく，ハード的には実現可能であるが制御上はサポートされていない機能を実現させるものである。なお，本形態では，ハード上は必要な機能をすべて有しているものとする。
【００２４】
また，Ｓ５６の表示変更処理では，図１２のフローチャートに基づいた表示色変更処理を行う。まず，デジタル複写機１の本来の制御が表示色変更機能をサポートしているか否かを判断する（Ｓ８１）。当該機能をサポートしている場合（Ｓ８１：ＹＥＳ）は，操作パネル２０の表示色の変更を行う（Ｓ８２）。一方，当該機能をサポートしていない場合（Ｓ８１：ＮＯ）は，ジョブデータに付加された表示属性２に対応したプログラムを実行する（Ｓ８３）。これにより，当該機能のサポートの有無に関わらず，操作パネル２０の表示色が変更される。Ｓ８２あるいはＳ８３の表示変更処理を終了すると，Ｓ５６の表示色変更処理が終了する。当該処理の終了後の画面は，図１３に示すように表示属性２が付加されたジョブ（図１３中，「１２」および「１３」のジョブ）の表示色が変更された状態である。また，Ｓ５８の表示変更処理でも，同様の処理手順により文字サイズの変更処理を行う。
【００２５】
以上詳細に説明したように本実施の形態では，パソコン４によりジョブデータを作成することとしている。このジョブデータには，表示属性とその表示属性に対応したプログラムを付加することとしている。これにより，デジタル複写機１の操作パネル２０上に，操作者の意図したジョブ情報の表示を行うことができるジョブデータが作成される。そして，当該ジョブデータをデジタル複写機１に送信することとしている。一方，デジタル複写機１の操作パネル２０の画面上にジョブを表示することとしている。このデジタル複写機１の操作パネル２０では，ジョブデータに表示属性が付加されているか否かを判断することとしている。そして，表示属性が付加されている場合は，当該表示属性に応じて表示画面を変化させることとしている。すなわち，ジョブごとに表示内容を変更することができる。また，表示属性には，表示倍率の変更や表示色の変更等が含まれている。これにより，障害者等であっても表示内容を明確に認識できる。また，デジタル複写機１は，ジョブデータに付加されている表示属性により表示を変更するため，表示に関する設定をあらかじめ行っておく必要はない。よって，ジョブの表示属性に応じて表示画面を変更することができ，操作者（とくに障害者等）にやさしい画像形成装置が実現されている。
【００２６】
また，操作パネル２０では，表示属性に対応した機能をサポートしていない場合は，ジョブデータに付加されるプログラムを実行することとしている。これにより，表示属性に対応した機能をサポートしていなくても，表示属性に沿った表示画面に変更することができる。
【００２７】
なお，本実施の形態は単なる例示にすぎず，本発明を何ら限定するものではない。したがって本発明は当然に，その要旨を逸脱しない範囲内で種々の改良，変形が可能である。例えば，本実施例ではプリントジョブについての例示であるが，スキャンジョブ等，その他のジョブでもよい。この場合でも，画面表示に必要なデータの構成は同じである。すなわち，表示属性およびその表示属性に付随するプログラムが付加される。一方，データ部分はプリントジョブと異なり，ＪＯＢＩＤ，配信方法，データの宛先（スキャンジョブの場合）で構成される。
【００２８】
また，本実施の形態では，ジョブデータの送信側であるパソコン４が，デジタル複写機１にのみジョブデータを送信しているが，ネットワーク１０に接続しているすべてのデジタル複写機またはプリンタ等にジョブデータを送信し，どのデジタル複写機またはプリンタ等でもジョブデータの表示属性に応じた画面表示を行うこととしてもよい。これにより，どのデジタル複写機等でもパソコン４にて設定された表示属性に合わせたジョブの表示がなされ，障害者等がどこにいても不自由を感じない。
【００２９】
さらには，ジョブを表示しているデジタル複写機等のいずれか一つの装置でジョブの表示属性が手動で変更された場合に，他の装置に変更の内容を送信することとしてもよい。これにより，当該変更内容を受信した他の装置では当該ジョブの表示を変更することができ，システム全体で統一した表示を行うことができる。
【００３０】
また，本実施の形態では，初期設定での表示を行ってから表示属性に応じて変更している（Ｓ５２）が，これに限るものではない。例えば，表示するジョブの決定後に表示属性の有無を判断し，表示属性が付加されていれば初期表示を行わず，直接に表示属性に応じた処理を行うものとしてもよい。
【００３１】
また，本実施の形態では，表示属性に関する信号が付加されているジョブデータについての情報のみの表示変更としているが，これに限るものではない。例えば，一覧表示画面において，共通部分に関しても変更してもよい。また，特定の表示属性については，一覧表示画面であっても，全ジョブデータの情報を変更することとしてもよい。
【００３２】
また，ネットワーク全体のジョブ情報を一箇所に表示しても良い。例えば，サーバ５に付随するモニタ６に，ネットワーク１０に接続しているすべてのデジタル複写機が有するジョブ情報を表示することとしてもよい。ここでも，当該ジョブ情報は表示属性に応じて変更できる。
【００３３】
【発明の効果】
以上の説明から明らかなように本発明によれば，ジョブの表示属性に応じて表示画面を変更することのできる画像形成装置が提供されている。
【図面の簡単な説明】
【図１】  実施の形態に係るジョブ送受信システムのブロック構成図である。
【図２】  実施の形態に係るデジタル複写機のブロック構成図である。
【図３】  操作パネルの表示画面の一例（基本画面）を示す図である。
【図４】  操作パネルの表示画面の一例（一覧表示画面）を示す図である。
【図５】  ジョブデータのデータ構成を示す図である。
【図６】  ジョブデータ送信処理を示すフローチャートである。
【図７】  操作パネルに関する処理を示すフローチャートである。
【図８】  操作パネルに関する表示処理を示すフローチャートである。
【図９】  操作パネルに関する表示ジョブ決定処理を示すフローチャートである。
【図１０】  操作パネルに関する表示倍率変更処理を示すフローチャートである。
【図１１】  操作パネルに関する表示倍率変更処理後の画面を示す図である。
【図１２】  操作パネルに関する表示色変更処理を示すフローチャートである。
【図１３】  操作パネルに関する表示色変更処理後の画面を示す図である。
【符号の説明】
１          デジタル複写機
４          パソコン
５          サーバ
１１        ＣＰＵ
２０        操作パネル
【図１】
0004066663.tif 000002
【図２】
0004066663.tif 000003
【図３】
0004066663.tif 000004
【図４】
0004066663.tif 000005
【図５】
0004066663.tif 000006
【図６】
0004066663.tif 000007
【図７】
0004066663.tif 000008
【図８】
0004066663.tif 000009
【図９】
0004066663.tif 000010
【図１０】
0004066663.tif 000011
【図１１】
0004066663.tif 000012
【図１２】
0004066663.tif 000013
【図１３】
0004066663.tif 000014